(57)【要約】 【課題】  ユーザを認識するための識別コードなどを予め登録しておく必要がなく、かつブルートゥースなどによる近距離の無線通信手段を用いることなく、電子機器の近傍にいるユーザのみが、電子機器を簡便に操作することができる電子機器の操作システムを提供する。【解決手段】  電子機器１０は、ユーザ確認手段１２によって人が電子機器１０の近傍にいることを確認すると、識別コードを生成し、ＱＲコード２に変換して識別コード表示手段１１に表示する。表示されたＱＲコード２が識別コード入力手段２１によって入力され、電子機器１０に対する操作が操作手段２５によって指定されると、操作機器２０は、指定された操作を表す操作情報と、入力されたＱＲコード２をデコードした識別コードとを送信する。電子機器１０は、受信した識別コードが、表示した識別コードに一致すると、受信した操作情報が示す操作による処理を行う。【選択図】      図２
2007164448.tif 000002
【特許請求の範囲】
【請求項１】
電子機器を識別するための識別情報を生成する生成手段、および生成手段によって生成された識別情報を出力する出力手段を含む電子機器と、
電子機器の出力手段によって出力された識別情報を入力する入力手段、電子機器を操作するための操作情報を入力する操作手段、ならびに入力手段によって入力された識別情報および操作手段によって入力された操作情報を送信する送信手段を含む操作機器と、
操作機器の送信手段によって送信された識別情報および操作情報をその識別情報によって識別される電子機器に転送する転送手段とを含み、
電子機器は、転送手段から識別情報および操作情報を受信する受信手段をさらに含み、受信手段によって受信した操作情報が示す操作による処理を行うことを特徴とする電子機器の操作システム。
【請求項２】
前記電子機器は、前記受信手段によって受信した識別情報が前記生成手段によって生成された識別情報に一致すると、受信手段によって受信した操作情報が示す操作による処理を行うことを特徴とする請求項１に記載の電子機器の操作システム。
【請求項３】
前記電子機器は、
ユーザが電子機器から予め定める範囲の近傍にいることを確認するユーザ確認手段と、
ユーザが電子機器から予め定める範囲の近傍にいることがユーザ確認手段によって確認されると、前記生成手段に識別情報を生成させ、生成された識別情報を前記出力手段によって出力させる制御手段とをさらに含むことを特徴とする請求項１に記載の電子機器の操作システム。
【請求項４】
前記制御手段は、前記転送手段から受け取った操作情報が示す操作による処理が終了した後、またはユーザが前記電子機器から予め定める範囲の近傍にいることが前記ユーザ確認手段によって確認されないとき、前記出力手段によって出力させた識別情報を消滅させ、さらにユーザが前記電子機器から予め定める範囲の近傍にいることがユーザ確認手段によって新たに確認されると、前記生成手段に識別情報を新たに生成させ、新たに生成された識別情報を前記出力手段に出力させることを特徴とする請求項３に記載の電子機器の操作システム。
【請求項５】
前記電子機器の出力手段は、表示パネルであり、
前記操作機器の入力手段は、表示パネルに表示された識別情報を撮影する撮影手段であることを特徴とする請求項１に記載の電子機器の操作システム。
【請求項６】
前記操作機器は、前記操作手段によって入力された操作情報を記憶する記憶手段をさらに含み、
前記送信手段は、前記入力手段によって入力された識別情報、および記憶手段に記憶された操作情報の中から前記操作手段によって選択された操作情報を送信することを特徴とする請求項１に記載の電子機器の操作システム。
【請求項７】
前記操作機器は、前記送信手段によって送信した識別情報および操作情報を記憶する記憶手段と、記憶手段に記憶された識別情報および操作情報の中から操作情報を抽出する抽出手段とをさらに含み、
前記送信手段は、抽出手段によって抽出された操作情報の中から前記操作手段によって選択された操作情報、および前記入力手段によって入力された識別情報を送信することを特徴とする請求項１に記載の電子機器の操作システム。
【請求項８】
前記電子機器は、ＷＥＢサーバ機能をさらに含み、
前記操作機器は、ＷＥＢブラウザ機能をさらに含み、
前記識別情報は、電子機器のＷＥＢサーバ機能のＵＲＬを含み、
ＷＥＢブラウザ機能は、ＵＲＬを指定することによって、ＷＥＢサーバ機能にアクセスすることを特徴とする請求項１に記載の電子機器の操作システム。
【発明の詳細な説明】
【技術分野】
【０００１】
本発明は、電子機器の操作システムに関する。
【背景技術】
【０００２】
従来、コンビニエンスストアなどに設置される電子機器、たとえばコピー機は、不特定の人がたまに使用するものであり、誰でも簡単に操作することができるように、機能を基本的なもの、たとえばコピー枚数の指定機能、あるいは倍率の変更機能などの機能に限定することによって、操作の簡便化が図られている。ところが、近年の事務用あるいは家庭用のコピー機は多機能化が進み、コンビニエンスストアなどに設置される電子機器に対しても多機能化の要望があり、操作性の簡便化が図られた多機能なコピー機が求められている。
【０００３】
第１の従来の技術として、携帯電話からの操作を可能にした画像形成装置の操作システムがある。この画像形成装置の操作システムは、ブルートゥースと呼ばれる近距離無線データ通信手段を、複写機および携帯電話のそれぞれに設けることによって、両者間での通信を可能にして、携帯電話によって、複写機の操作を可能にしたものである。機種あるいは機能が異なる複写機の操作部のキーの配置あるいは操作方法が相違していても、単一の携帯電話の操作部から操作することができるので、複写機の操作が容易になる（たとえば特許文献１参照）。
【０００４】
第２の従来の技術として、携帯電話機によってユーザ認証を行う画像形成装置がある。この画像形成装置は、携帯電話機等の携帯端末と無線通信することによって、ユーザ名および識別ＩＤを取得してユーザ認証するものである。ユーザに対して、画像を印刷する度にユーザ名および識別ＩＤの入力作業を強いることなくユーザ認証することができる（たとえば特許文献２参照）。
【０００５】
第３の従来の技術として、識別コードを撮像した画像を用いる認証装置がある。この認証装置は、バーコードなどの識別コードをデジタルカメラなどで撮像し、撮像した識別コードを識別コード解読装置に送信し、送信された識別コードが登録されているか否かを判定する。高額なバーコードリーダを用いることなくユーザ認証を行うことができるので、来客数の少ない店舗等でも識別コードを用いた認証を実施することができる（たとえば特許文献３参照）。
【０００６】
【特許文献１】特開２００３−１０７９６２号公報
【特許文献２】特開２００３−９４７７７号公報
【特許文献３】特開２００４−２９７４４０号公報
【発明の開示】
【発明が解決しようとする課題】
【０００７】
第１の従来の技術は、携帯電話を用いて画像形成装置の操作を行うことによって、複写機の操作を容易にしたものである。しかしながら、画像形成装置と携帯電話との通信を可能とするために、ブルートゥースなどによる近距離無線通信手段を画像形成装置および携帯電話に設ける必要があるという問題がある。さらに、画像形成装置のそばにいる人だけでなく、近距離無線通信手段による通信が可能な範囲にいる人によっても、画像形成装置が操作される可能性があるという問題があり、他の人に画像形成装置の使用を横取りされてしまうという事態が発生する可能性がある。
【０００８】
第２の従来の技術は、携帯端末からユーザ名および識別ＩＤを取得してユーザ認証するものであるが、画像形成装置および携帯端末にユーザ名および識別ＩＤを予め登録しておく必要があるという問題がある。同様に、第３の従来の技術は、デジタルカメラなどで撮像されたバーコードなどの識別コードによって認証を行うものであるが、認証するための識別コードを予め認証装置に登録しておく必要があるという問題がある。
【０００９】
本発明の目的は、ユーザを認識するための識別コードなどを予め登録しておく必要がなく、かつブルートゥースなどによる近距離の無線通信手段を用いることなく、電子機器の近傍にいるユーザのみが、電子機器を簡便に操作することができる電子機器の操作システムを提供することである。
【課題を解決するための手段】
【００１０】
本発明は、電子機器を識別するための識別情報を生成する生成手段、および生成手段によって生成された識別情報を出力する出力手段を含む電子機器と、
電子機器の出力手段によって出力された識別情報を入力する入力手段、電子機器を操作するための操作情報を入力する操作手段、ならびに入力手段によって入力された識別情報および操作手段によって入力された操作情報を送信する送信手段を含む操作機器と、
操作機器の送信手段によって送信された識別情報および操作情報をその識別情報によって識別される電子機器に転送する転送手段とを含み、
電子機器は、転送手段から識別情報および操作情報を受信する受信手段をさらに含み、受信手段によって受信した操作情報が示す操作による処理を行うことを特徴とする電子機器の操作システムである。
【００１１】
本発明に従えば、電子機器では、生成手段によって、電子機器を識別するための識別情報が生成され、出力手段によって、生成手段によって生成された識別情報が出力され、操作機器では、入力手段によって、電子機器の出力手段によって出力された識別情報が入力され、操作手段によって、電子機器を操作するための操作情報が入力され、送信手段によって、入力手段によって入力された識別情報および操作手段によって入力された操作情報が送信され、転送手段では、操作機器の送信手段によって送信された識別情報および操作情報がその識別情報によって識別される電子機器に転送され、さらに電子機器では、受信手段によって、転送手段から識別情報および操作情報を受信し、受信手段によって受信した操作情報が示す操作による処理が行われる。
【００１２】
このように、電子機器で生成されて出力された識別情報を操作機器に入力し、操作機器が識別情報に操作情報を付加して送信し、携帯電話基地局装置などの転送手段が識別情報および操作情報を識別情報によって識別される電子機器に転送すると、電子機器は転送された操作情報が示す操作による処理を行うので、ユーザを認識するための識別コードなどを予め登録しておく必要がなく、かつブルートゥースなどによる近距離の無線通信手段を用いることなく、電子機器の近傍にいるユーザのみが、携帯端末などの操作機器から電子機器を簡便に操作することができる。
【００１３】
また本発明は、前記電子機器は、前記受信手段によって受信した識別情報が前記生成手段によって生成された識別情報に一致すると、受信手段によって受信した操作情報が示す操作による処理を行うことを特徴とする。
【００１４】
本発明に従えば、電子機器は、受信した識別情報が、出力手段に出力した識別情報に一致したとき、受信した操作情報が示す操作による処理を行うので、出力手段に出力した識別情報を入力することができた操作機器からのみ電子機器を操作することができる。
【００１５】
また本発明は、前記電子機器は、
ユーザが電子機器から予め定める範囲の近傍にいることを確認するユーザ確認手段と、
ユーザが電子機器から予め定める範囲の近傍にいることがユーザ確認手段によって確認されると、前記生成手段に識別情報を生成させ、生成された識別情報を前記出力手段によって出力させる制御手段とをさらに含むことを特徴とする。
【００１６】
本発明に従えば、電子機器は、ユーザが電子機器から予め定める範囲内にいることがユーザ確認手段によって確認されると、識別情報を生成して、出力手段によって出力するので、電子機器から予め定める範囲内にいるユーザを確認したとき、識別情報を生成することができる。
【００１７】
また本発明は、前記制御手段は、前記転送手段から受け取った操作情報が示す操作による処理が終了した後、またはユーザが前記電子機器から予め定める範囲の近傍にいることが前記ユーザ確認手段によって確認されないとき、前記出力手段によって出力させた識別情報を消滅させ、さらにユーザが前記電子機器から予め定める範囲の近傍にいることがユーザ確認手段によって新たに確認されると、前記生成手段に識別情報を新たに生成させ、新たに生成された識別情報を前記出力手段に出力させることを特徴とする。
【００１８】
本発明に従えば、操作情報が示す操作による処理が終了した後、またはユーザが電子機器から予め定める範囲内にいることがユーザ確認手段によって確認されないと、出力手段によって出力させた識別情報を消滅させ、さらにユーザが電子機器から予め定める範囲の近傍にいることがユーザ確認手段によって新たに確認されると、識別情報を新たに生成して、出力手段に出力させるので、処理単位またはユーザ毎に新たな識別情報を生成することができる。
【００１９】
また本発明は、前記電子機器の出力手段は、表示パネルであり、
前記操作機器の入力手段は、表示パネルに表示された識別情報を撮影する撮影手段であることを特徴とする。
【００２０】
本発明に従えば、電子機器の出力手段が表示パネルであり、さらに操作機器の入力手段がカメラなどの撮影手段であるので、撮影手段を有する操作機器から電子機器を操作することができる。
【００２１】
また本発明は、前記操作機器は、前記操作手段によって入力された操作情報を記憶する記憶手段をさらに含み、
前記送信手段は、前記入力手段によって入力された識別情報、および記憶手段に記憶された操作情報の中から前記操作手段によって選択された操作情報を送信することを特徴とする。
【００２２】
本発明に従えば、操作情報を、操作手段によって入力され、記憶手段に記憶された操作情報の中から選択することができるので、登録しておいた操作情報を利用することができる。
【００２３】
また本発明は、前記操作機器は、前記送信手段によって送信した識別情報および操作情報を記憶する記憶手段と、記憶手段に記憶された識別情報および操作情報の中から操作情報を抽出する抽出手段とをさらに含み、
前記送信手段は、抽出手段によって抽出された操作情報の中から前記操作手段によって選択された操作情報、および前記入力手段によって入力された識別情報を送信することを特徴とする。
【００２４】
本発明に従えば、操作機器は、送信手段によって送信された識別情報および操作情報を記憶する記憶手段から、抽出手段によって抽出した操作情報、および入力手段によって入力された識別情報を送信するので、操作機器は、過去に行った操作の操作情報を、ユーザが近傍にいる電子機器が出力した識別情報とともに送信することができる。
【００２５】
また本発明は、前記電子機器は、ＷＥＢサーバ機能をさらに含み、
前記操作機器は、ＷＥＢブラウザ機能をさらに含み、
前記識別情報は、電子機器のＷＥＢサーバ機能のＵＲＬを含み、
ＷＥＢブラウザ機能は、ＵＲＬを指定することによって、ＷＥＢサーバ機能にアクセスすることを特徴とする。
【００２６】
本発明に従えば、電子機器はＷＥＢサーバ機能を有し、操作機器はＷＥＢブラウザ機能を有し、ＷＥＢブラウザ機能が識別情報に含まれるＵＲＬを指定することによって、ＷＥＢサーバ機能にアクセスするので、電子機器の操作を操作機器に表示されるＷＥＢブラウザの画面から行うことができる。
【発明の効果】
【００２７】
本発明によれば、ユーザを認識するための識別コードなどを予め登録しておく必要がなく、かつブルートゥースなどによる近距離の無線通信手段を用いることなく、電子機器の近傍にいるユーザのみが、携帯端末などの操作機器から電子機器を簡便に操作することができるので、電子機器の近傍にいるユーザのみが使い慣れた携帯端末によって操作することができ、操作画面を他の人に見られる可能性を低くし、共有の操作パネルに触れることなく操作することができる。
【００２８】
また本発明によれば、出力手段に出力した識別情報を入力することができた操作機器からのみ電子機器を操作することができるので、電子機器の近傍にいるユーザのみが電子機器を操作することができる。
【００２９】
また本発明によれば、電子機器から予め定める範囲内にいるユーザを確認したとき、識別情報を生成することができるので、電子機器を操作することができるユーザを、電子機器の特定の範囲にいるユーザに限定することができる。
【００３０】
また本発明によれば、処理単位またはユーザ毎に新たな識別情報を生成することができるので、他のユーザが、以前使用した識別情報を用いて操作することを防止することができる。
【００３１】
また本発明によれば、撮影手段を有する操作機器から電子機器を操作することができるので、たとえばカメラ付き携帯電話などの携帯端末によって電子機器を操作することができる。
【００３２】
また本発明によれば、登録しておいた操作情報を利用することができるので、操作情報を入力する操作を簡単化することができる。たとえば、記憶手段に記憶された操作情報の一覧の中から選択する１アクションだけでよく、操作機器のメインメニューから操作を選択する画面まで順次操作を行う必要がない。そして、電子機器が別の装置であっても、記憶手段に記憶された操作情報の一覧の中から選択するだけでよい。さらに、携帯端末などの操作機器に記憶しているメールアドレスを、電子メールを送信する操作の操作情報に含めれば、画面送信先アドレスの入力を簡便化することができる。
【００３３】
また本発明によれば、操作機器は、過去に行った操作の操作情報を、ユーザが近傍にいる電子機器が出力した識別情報とともに送信することができるので、ユーザは、他の電子機器を含めて過去に操作した電子機器に対する操作を、ユーザの近傍にある電子機器に対して行うことができ、ブックマークのように記憶しておいた操作情報つまり電子機器に対するコマンドを、他の電子機器に対しても利用することができる。
【００３４】
また本発明によれば、電子機器の操作を操作機器に表示されるＷＥＢブラウザの画面から行うことができるので、電子機器の操作仕様が、同じメーカの装置で表示パネルの大小によって異なっていても、同じＷＥＢブラウザの画面から操作することができ、操作仕様を共通化することができる。
【発明を実施するための最良の形態】
【００３５】
図１は、本発明の実施の一形態である電子機器の操作システム１の構成の一例を模式的に示す。電子機器の操作システム１は、電子機器たとえばＭＦＰ（Multi Function Peripheral）１０ａ、操作機器たとえば携帯電話２０ａ、携帯電話基地局装置３０、および通信回線４０を含む。
【００３６】
ＭＦＰ１０ａは、液晶タッチパネルなどで構成される表示部１１ａを含む複合機であり、ＷＥＢサーバ機能を有する。ＭＦＰ１０ａは、インターネットなどの通信回線４０を介して携帯電話基地局装置３０に接続されている。携帯電話２０ａは、たとえば携帯電話機であり、携帯電話基地局装置３０を介して、ＭＦＰ１０ａと無線による通信を行うことができ、ＷＥＢブラウザ機能を有している。すなわちＭＦＰ１０ａと携帯電話２０ａとは、携帯電話基地局装置３０を介して通信を確立することができる。
【００３７】
ＭＦＰ１０ａは、ＭＦＰ１０ａとＭＦＰ１０ａの近傍にいるユーザであることとを識別するための識別コードを、たとえば２次元コードであるＱＲ（Quick Response）コード２に変換して表示部１１ａに表示する。携帯電話２０ａは、画像を撮影するためのカメラ２１ａを含み、カメラ２１ａによって、表示部１１ａに表示されたＱＲコード２を撮影する。
【００３８】
識別コードは、サーバとしてのＭＦＰ１０ａのＵＲＬ（Uniform Resource Locator）を含み、携帯電話２０ａは、ＷＥＢブラウザで識別コードに含まれるＵＲＬを指定することによって、そのＵＲＬで特定されるサーバにアクセスすることができる。ＭＦＰ１０ａは、表示部１１ａに表示されたＱＲコード２に含まれるＵＲＬによって特定されるサーバであり、携帯電話２０ａは、このＵＲＬによってＭＦＰ１０ａにアクセスすることができる。換言すれば、ＭＦＰ１０ａにアクセスした携帯電話２０ａは、表示部１１ａに表示されたＱＲコード２に含まれるＵＲＬを用いてアクセスした携帯電話である。
【００３９】
したがって、ＭＦＰ１０ａは、ＭＦＰ１０ａにアクセスした携帯電話２０ａのユーザが、ＭＦＰ１０ａの近傍にいて、携帯電話２０ａのカメラ２１ａでＭＦＰ１０ａの表示部１１ａに表示されたＱＲコード２を撮影することができたユーザであると認識することができる。すなわち、ＭＦＰ１０ａとユーザとの物理的距離を特定することができる。
【００４０】
図２は、本発明の実施の一形態である電子機器の操作システム１のブロック図である。電子機器の操作システム１は、電子機器１０、操作機器２０、携帯電話基地局装置３０、および通信回線４０を含む。
【００４１】
電子機器１０は、たとえばコピー機、スキャナ、プリンタ、ファクシミリ、あるいはこれらが複合したＭＦＰなどの電子機器であり、識別コード表示手段１１、ユーザ確認手段１２、制御手段１３、および通信手段１４を含む。識別コード表示手段１１は、図１に示した表示部１１ａに相当し、たとえば液晶タッチパネルによって構成される。
【００４２】
識別コード表示手段１１は、制御手段１３から受け取った情報、たとえばＱＲコードなどの識別コードを表示する。ユーザ確認手段１２は、たとえば人体が発する赤外線を検知する焦電型赤外線センサによって構成され、電子機器１０の近傍に人がいること、たとえば電子機器１０に手が届く範囲の近傍に人がいることを確認し、確認結果を制御手段１３に送る。
【００４３】
制御手段１３は、たとえばＣＰＵ（Central Processing Unit）と半導体メモリなどの記憶装置によって構成され、記憶装置に記憶されたプログラムをＣＰＵが実行することによって、識別コード表示手段１１、ユーザ確認手段１２、および通信手段１４を制御する。電子機器１０が、たとえばＭＦＰであれば、制御手段１３は、液晶タッチパネルから操作される処理、たとえばコピー、プリント、スキャン、ファクシミリ送信、あるいは電子メール送信などの処理を制御する。制御手段１３は、さらにＷＥＢサーバ機能を含み、このＷＥＢサーバ機能も、記憶装置に記憶されたプログラムをＣＰＵが実行することによって実現される。通信手段１４は、通信回線４０、たとえばインターネットなどのネットワークを介して携帯電話基地局装置３０と通信を行うための通信装置である。
【００４４】
操作機器２０は、たとえば携帯電話機、あるいはＰＤＡ（Personal Digital
Assistant）など人が手に持って操作することができる携帯端末であり、識別コード入力手段２１、通信手段２２、制御手段２３、記憶手段２４、操作手段２５、および表示手段２６を含む。
【００４５】
識別コード入力手段２１は、電子機器１０の識別コード表示手段１１に表示された情報を入力するための入力装置であり、たとえばカメラなどの撮影装置によって構成され、入力された情報、たとえばＱＲコード２などの識別コードを制御手段２３に送る。通信手段２２は、無線によって、携帯電話基地局装置３０と通信を行うための通信装置であり、制御手段２３から受け取った情報を無線によって、携帯電話基地局装置３０に送信し、携帯電話基地局装置３０から受信した情報を制御手段２３に送る。
【００４６】
制御手段２３は、たとえばＣＰＵと半導体メモリなどの記憶装置によって構成され、記憶装置に記憶されたプログラムをＣＰＵが実行することによって、識別コード入力手段２１、通信手段２２、記憶手段２４、操作手段２５、および表示手段２６を制御する。制御手段２３は、ＷＥＢブラウザ機能を含み、このＷＥＢブラウザ機能も、記憶装置に記憶されたプログラムをＣＰＵが実行することによって実現される。
【００４７】
記憶手段２４は、たとえば半導体メモリあるいはハードディスク装置などの記憶装置によって構成され、制御手段２３から受け取った情報を記憶する。操作手段２５は、情報を入力するためのキーおよび操作機器２０を操作するための操作キーを含む入力装置であり、入力された情報を制御手段２３に送る。表示手段２６は、たとえば液晶パネルなどの表示装置によって構成され、制御手段２３から受け取った情報を表示する。
【００４８】
携帯電話基地局装置３０は、たとえばＤＮＳ（Domain Name Server）の機能を有する電話交換機であり、操作機器２０のＷＥＢブラウザ機能で指定されるＵＲＬで特定されるサーバとしての電子機器１０と、操作機器２０との通信を可能にするものである。
【００４９】
電子機器１０の制御手段１３は、人が電子機器１０の近傍にいることをユーザ確認手段１２から知らされると、識別コードを生成してＱＲコード２に変換し、変換したＱＲコード２を識別コード表示手段１１に送り、表示させる。
【００５０】
識別コードは、電子機器１０と電子機器１０の近傍にいるユーザであることとを識別するための識別情報であり、ヘッダおよび特定情報部を含む。ヘッダは、たとえば電子機器の製造者を特定する情報であり、特定情報部は、たとえば電子機器１０の機種名／シリアルナンバおよびワンタイムパスワードを含む。ヘッダおよび機種名／シリアルナンバが、電子機器を識別するための電子機器識別情報であり、ワンタイムパスワードが、電子機器の近傍にいるユーザであることを識別するためのユーザ識別情報である。ワンタイムパスワードは、たとえば識別コードの生成時に更新される乱数、あるいは日時を示す情報などユニークな情報である。
【００５１】
ユーザが、電子機器１０の識別コード表示手段１１に表示されたＱＲコード２を、操作機器２０の識別コード入力手段２１によって入力すると、識別コード入力手段２１は、入力されたＱＲコード２を制御手段２３に送る。制御手段２３は、受け取ったＱＲコード２を識別コードにデコードし、識別コードをＵＲＬとして通信手段２２によって送信する。
【００５２】
送信したＵＲＬによって特定されるサーバつまり電子機器１０から、ＷＥＢページの情報が送られてくると、ＷＥＢブラウザ機能が起動され、表示手段２６にＷＥＢページの画面が表示される。ユーザは、操作手段２５によって、表示手段２６に表示されたＷＥＢページの画面の中のメニューから、電子機器１０に対する操作を指定する。制御手段２３は、操作手段２５によって指定された操作を表す操作情報を識別コードに付加して、リンクＵＲＬを生成する。
【００５３】
図３は、図２に示した操作機器２０の表示手段２６に表示される電子機器操作選択画面５０の一例を示す。電子機器操作選択画面５０は、電子機器１０のＷＥＢサーバ機能から受信したＷＥＢページの画面である。
【００５４】
電子機器操作選択画面５０は、ＷＥＢページのタイトル「電子機器操作選択画面」と表示された下に、３つの操作ボタン「コピー」ボタン５１、「ＦＡＸ」ボタン５２、および「ｅ−ｍａｉｌ」ボタン５３が表示されている。「コピー」ボタン５１は、電子機器１０にコピーを行わせるための操作ボタンであり、「ＦＡＸ」ボタン５２は、電子機器１０にファクシミリ送信を行わせるための操作ボタンであり、「ｅ−ｍａｉｌ」ボタン５３は、電子機器１０に電子メールの送信を行わせるための操作ボタンである。これらの操作ボタンの中から指示したい操作の操作ボタンを選択すると、選択された操作ボタンに対応するリンクＵＲＬが生成される。
【００５５】
図３に示した状態は、太い枠で囲まれた「ｅ−ｍａｉｌ」ボタン５３が選択された状態である。他の操作ボタンを選択するときは、操作手段２５にある操作キーを操作して選択する。たとえば選択されている項目を移動させるためのキーを押すことによって、太い枠で囲まれる操作ボタンを移動させ、決定キーなどのキーを押すことによって、選択する。電子機器操作選択画面５０で操作ボタンを選択しないときは、たとえば操作手段２５にあるキャンセルキーなどを押すことによって、選択をパスすることができる。
【００５６】
図４は、図２に示した電子機器の操作システム１で用いる識別コードおよびリンクＵＲＬの例を示す。図４（ａ）は、識別コード表示手段１１に表示されるＱＲコード２の識別コードの一例を示す。ヘッダ、つまり電子機器の製造者を特定する情報は、「ｈｉｇｈｑｕａｌｉｔｙｍｆｐ．ｃｏ．ｊｐ」であり、特定情報部に含まれる電子機器１０の機種名／シリアルナンバは、「ａｒｓ０００／ｓｎ１２３４」であり、特定情報部に含まれるワンタイムパスワード、つまりユーザ識別情報は、「ｘｘｙｙｚｚ」である。電子機器１０の電子機器識別情報は、「ｈｉｇｈｑｕａｌｉｔｙｍｆｐ．ｃｏ．ｊｐ／ａｒｓ０００／ｓｎ１２３４」である。
【００５７】
図４（ｂ）は、図４（ａ）に示した識別コードを基に、操作機器２０で生成されたリンクＵＲＬを示す。ＨＴＴＰプロトコルによる記述であることを示す「ｈｔｔｐ：／／」の後に、図４（ａ）に示した識別コード情報「ｈｉｇｈｑｕａｌｉｔｙｍｆｐ．ｃｏ．ｊｐ／ａｒｓ０００／ｓｎ１２３４／ｘｘｙｙｚｚ／」が示され、その後に、操作手段２５によって指定された操作を表す付加情報部つまりコマンド部「ｌｉｎｋ＿ｅｍａｉｌｓｅｔ」が示されている。コマンド部に示される情報は、操作情報であり、コマンド部「ｌｉｎｋ＿ｅｍａｉｌｓｅｔ」は、電子メールを送信することを指定する操作を表す操作情報である。
【００５８】
ユーザが表示手段２６のＷＥＢページの画面に表示された操作の中から１つの操作を指定すると、制御手段２３は、リンクＵＲＬを生成し、生成したリンクＵＲＬを送信することによって、リンクＵＲＬよって特定されるサーバにアクセスする。すなわち制御手段２３がリンクＵＲＬを通信手段２２によって携帯電話基地局装置３０に送信すると、携帯電話基地局装置３０は、受信したリンクＵＲＬを、リンクＵＲＬに含まれる電子機器識別情報によって特定される電子機器１０に送信する。
【００５９】
電子機器１０の通信手段１４は、携帯電話基地局装置３０からリンクＵＲＬを受信すると、受信したリンクＵＲＬを制御手段１３に送る。制御手段１３は、受信したリンクＵＲＬに含まれる識別情報が、制御手段１３が生成して識別コード表示手段１１に表示したＱＲコードが示す識別コードに一致すると、リンクＵＲＬに含まれる操作情報が示す操作による処理を行う。
【００６０】
制御手段１３は、処理が終了すると、または人が電子機器１０の近傍にいることがユーザ確認手段１２によって確認されなくなると、識別コード表示手段１１に表示したＱＲコード２つまり識別コードを消滅させる。制御手段１３は、ユーザ確認手段１２が、人が電子機器１０の近傍にいることを新たに確認したときは、新たな識別コードを生成し、ＱＲコードに変換して、識別コード表示手段１１に表示する。
【００６１】
生成手段は、たとえば制御手段１３であり、出力手段は、たとえば識別コード表示手段１１であり、入力手段は、たとえば識別コード入力手段２１であり、操作手段は、たとえば操作手段２５であり、送信手段は、たとえば通信手段２２であり、転送手段は、たとえば携帯電話基地局装置３０および通信回線４０であり、受信手段は、たとえば通信手段１４であり、ユーザ確認手段は、たとえばユーザ確認手段１２であり、制御手段は、たとえば制御手段１３であり、撮影手段は、たとえばカメラ２１ａであり、記憶手段は、たとえば記憶手段２４であり、抽出手段は、たとえば制御手段２３である。
【００６２】
図５は、図２に示した電子機器１０が処理するフローチャートである。このフローチャートは、電子機器１０の制御手段１３が処理する。電子機器１０の電源が投入されて、動作可能状態になると、ステップＳ１に移る。
【００６３】
ステップＳ１では、ユーザ確認手段１２によるユーザ確認を行う。すなわち電子機器１０の近傍にユーザがいるか否かを確認する。ステップＳ２では、ユーザがいるか否かを、ユーザ確認手段１２の確認結果によって判断する。ユーザ確認手段１２の確認結果が、ユーザがいることを示しているとき、ステップＳ３に進み、ユーザ確認手段１２の確認結果が、ユーザがいることを示していないとき、ステップＳ１に戻る。
【００６４】
ステップＳ３では、識別コードを生成する。たとえば図４（ａ）に示した識別コードを生成する。ステップＳ４では、ステップＳ３で生成した識別コードを、ＱＲコードに変換して識別コード表示手段１１に表示する。
【００６５】
ステップＳ５では、識別コードが一致するか否かを判定する。すなわち通信手段１４が受信したリンクＵＲＬに含まれる識別コードが、ステップＳ４で識別コード表示手段１１に表示したＱＲコードつまり識別コードに一致するか否かを判定する。識別コードが一致するとき、ＷＥＢページを操作機器２０に送信して、ステップＳ６に進み、識別コードが一致しないとき、ステップＳ９に進む。
【００６６】
この場合、識別コード全体が一致するか否かを判定しているが、識別コードに含まれるユーザ識別情報、つまりワンタイムパスワードが一致しているか否かを判定するだけでもよい。通信手段１４が受信したリンクＵＲＬに含まれる識別コードは、携帯電話基地局装置３０が、ユーザ識別情報を除く識別コードによって特定される電子機器１０に送信した識別コードであり、受信したユーザ識別情報を除く識別コードは、同じ電子機器１０が生成したユーザ識別情報を除く識別コードと一致する。
【００６７】
ステップＳ６では、操作機器２０からのコマンドが有るか否かを判定する。すなわち受信したリンクＵＲＬに操作情報が含まれているか否かを判定する。コマンドがあるとき、ステップＳ７に進み、コマンドがないときステップＳ９に進む。ステップＳ７では、コマンドに対応するジョブを実行する。すなわち受信したリンクＵＲＬに含まれる操作情報が示す操作による処理を行う。ステップＳ８では、識別コード表示手段１１に表示したＱＲコードつまり識別コードを無効化して終了する。すなわち操作情報が示す操作による処理が終了すると、識別コード表示手段１１に表示されている識別コードを消滅させて終了する。
【００６８】
ステップＳ９では、ユーザ確認手段１２によるユーザ確認を行う。すなわち電子機器１０の近傍にユーザがいるか否かを確認する。ステップＳ１０では、ユーザがいるか否かを、ユーザ確認手段１２の確認結果によって判断する。ユーザ確認手段１２の確認結果が、ユーザが近傍にいることを示しているとき、ステップＳ５に戻り、ユーザ確認手段１２の確認結果が、ユーザが近傍にいることを示していないとき、ステップＳ８に進む。
【００６９】
図６は、図２に示した操作機器２０が処理するフローチャートである。このフローチャートは、操作機器２０の制御手段２３が処理する。操作機器２０の電源が投入されて、動作可能状態になると、ステップＴ１に移る。
【００７０】
ステップＴ１では、電子機器１０の識別コード表示手段１１に表示されたＱＲコード２つまり識別コードが識別コード入力手段２１たとえばカメラ２１ａによって撮影されたか否かを判定する。撮影されたとき、ステップＴ２に進み、撮影されていないとき、ステップＴ１に戻る。ステップＴ２では、ステップＴ１で撮影されたＱＲコード２をデコードした識別コードをＵＲＬとして送信する。このＵＲＬを送信することによって、電子機器１０のサーバ機能にアクセスする。ステップＴ３では、電子機器１０のサーバ機能から受信したＷＥＢページを、表示手段２６に表示する。
【００７１】
ステップＴ４では、リンクＵＲＬが指定されたか否かを判定する。すなわち、図３に示したＷＥＢページの画面から、電子機器１０に対する操作が指定されたか否かを判定する。電子機器１０に対する操作が指定されると、その操作に対応するリンクＵＲＬが生成される。リンクＵＲＬが指定されたとき、ステップＴ５に進み、リンクＵＲＬが指定されていないとき、ステップＴ６に進む。ステップＴ５では、ステップＴ４で指定されたリンクＵＲＬを送信する。たとえば図３に示したＷＥＢページの画面から指定された操作が、電子メールを送信することを指定する操作の場合、図４（ｂ）に示したリンクＵＲＬが送信される。
【００７２】
ステップＴ６では、操作手段２５によるユーザの指示が、送信したリンクＵＲＬを記録する指示であるか否かを判定する。送信したリンクＵＲＬを記録する指示であるとき、ステップＴ７に進み、記録する指示でないとき、ステップＴ８に進む。ステップＴ７では、送信したリンクＵＲＬを記録、すなわち記憶手段２４に記憶する。
【００７３】
ステップＴ８では、記録済みリンクＵＲＬで指定するか否かを判定する。すなわち操作手段２５によるユーザの指示が、記憶手段２４に記憶したリンクＵＲＬを用いてリンクＵＲＬを指定する指示であるか否かを判定する。記録済みリンクＵＲＬで指定するとき、ステップＴ９に進み、記録済みリンクＵＲＬで指定しないとき、ステップＴ３に戻る。ステップ３に戻ると、ステップＴ５またはステップＴ９の中で送信したリンクＵＲＬによって、電子機器１０から送信されるＷＥＢページを表示する。ステップＴ９では、記録済みリンクＵＲＬを用いたリンクＵＲＬを作成して送信し、ステップＴ３に戻る。
【００７４】
図７は、図６に示したフローチャートから呼び出されるＵＲＬ変換のフローチャートである。このフローチャートは、図６に示したステップＴ９の詳細な処理を示すフローチャートであり、操作機器２０の制御手段２３が処理する。図６に示したステップＴ８で、記録済みリンクＵＲＬで指定するとき、ステップＵ１に移る。
【００７５】
ステップＵ１では、記憶手段２４に記憶されたリンクＵＲＬの中から、操作手段２５によって選択されたリンクＵＲＬに含まれるヘッダを抽出する。ステップＵ２では、図６に示したステップＴ１で撮影されたＱＲコードがデコードされた識別コードからヘッダを抽出する。ステップＵ３では、ステップＵ１で抽出されたヘッダおよびステップＵ２で抽出されたヘッダが、特定のヘッダ、たとえば特定の電子機器の製造者のヘッダに一致するか否かを判定する。特定のヘッダに一致するとき、ステップＵ４に進み、特定のヘッダに一致しないとき、ステップＵ６に進む。
【００７６】
ステップＵ４では、図６に示したステップＴ１で撮影されたＱＲコードがデコードされた識別コードに、記憶手段２４に記憶されたリンクＵＲＬの中から選択されたリンクＵＲＬに含まれる操作情報、つまりコマンド部を追加する。ステップＵ５では、ステップＵ４でコマンド部が追加されたリンクＵＲＬを送信して終了する。ステップＵ６では、ステップＵ１で、記憶手段２４に記憶されたリンクＵＲＬの中から、操作手段２５によって選択されたリンクＵＲＬを送信して終了する。
【００７７】
このように、電子機器１０は、電子機器１０と電子機器１０の近傍にいるユーザであることとを識別するための識別情報である識別コードを生成して、出力手段である識別コード表示手段１１に出力し、操作機器２０は、出力手段に出力された識別情報を入力手段である識別コード入力手段２１によって入力し、入力された識別情報および電子機器を操作するための操作情報を送信し、転送手段に含まれる携帯電話基地局装置３０は、送信された識別情報および操作情報を識別情報によって識別される電子機器１０に転送し、電子機器１０は、受信した操作情報が示す操作による処理を行う。
【００７８】
すなわち、電子機器１０で生成されて出力された識別情報を操作機器２０に入力し、操作機器２０が識別情報に操作情報を付加して送信し、携帯電話基地局装置３０などの転送手段が識別情報および操作情報をその識別情報によって識別される電子機器１０に転送すると、電子機器１０は転送された操作情報が示す操作による処理を行うので、ユーザを認識するための識別コードなどを予め登録しておく必要がなく、かつブルートゥースなどによる近距離の無線通信手段を用いることなく、電子機器１０の近傍にいるユーザのみが、携帯端末などの操作機器２０から電子機器１０を簡便に操作することができる。したがって、電子機器１０の近傍にいるユーザのみが使い慣れた携帯端末によって操作することができ、操作画面を他の人に見られる可能性を低くし、共有の操作パネルに触れることなく操作することができる。
【００７９】
さらに、電子機器１０は、受信した識別情報が、出力手段である識別コード表示手段１１に表示した識別情報に一致したとき、受信した操作情報が示す操作による処理を行うので、出力手段に出力した識別情報を入力することができた操作機器２０からのみ電子機器１０を操作することができる。したがって、電子機器１０の近傍にいるユーザのみが電子機器１０を操作することができる。
【００８０】
さらにまた、電子機器１０は、ユーザが電子機器１０から予め定める範囲内にいることがユーザ確認手段１２によって確認されると、識別情報である識別コードを生成して、出力手段である識別コード表示手段１１に表示するので、電子機器１０から予め定める範囲内にいるユーザを確認したとき、識別情報を生成することができる。したがって、電子機器１０を操作することができるユーザを、電子機器１０の特定の範囲にいるユーザに限定することができる。
【００８１】
さらに、操作情報が示す操作による処理が終了した後、またはユーザが電子機器１０から予め定める範囲内にいることがユーザ確認手段１２によって確認されないと、出力手段である識別コード表示手段１１に出力させた識別情報を消滅させ、さらにユーザが電子機器１０から予め定める範囲の近傍にいることがユーザ確認手段１２によって新たに確認されると、識別情報を新たに生成して、出力手段に出力させるので、処理単位またはユーザ毎に新たな識別情報を生成することができる。したがって、他のユーザが、以前使用した識別情報を用いて操作することを防止することができる。
【００８２】
さらにまた、電子機器１０の出力手段である識別コード表示手段１１が表示パネルであり、さらに操作機器２０の入力手段である識別コード入力手段２１がカメラなどの撮影手段であるので、撮影手段を有する操作機器２０から電子機器１０を操作することができる。したがって、たとえばカメラ付き携帯電話などの携帯端末によって電子機器１０を操作することができる。
【００８３】
さらに、操作機器２０は、送信手段である通信手段２２によって送信された識別情報および操作情報を記憶する記憶手段２４から、抽出手段である制御手段２３によって抽出した操作情報、および入力手段である識別データ入力手段２１によって入力された識別情報を送信するので、操作機器２０は、過去に行った操作の操作情報を、ユーザが近傍にいる電子機器１０が出力した識別情報とともに送信することができる。したがって、ユーザは、他の電子機器を含めて過去に操作した電子機器に対する操作を、ユーザの近傍にある電子機器１０に対して行うことができ、ブックマークのように記憶しておいた操作情報つまり電子機器に対するコマンドを、他の電子機器に対しても利用することができる。
【００８４】
さらにまた、電子機器１０はＷＥＢサーバ機能を有し、操作機器２０はＷＥＢブラウザ機能を有し、ＷＥＢブラウザ機能が識別コードつまり識別情報に含まれるＵＲＬを指定することによって、ＷＥＢサーバ機能にアクセスするので、電子機器１０の操作を操作機器２０に表示されるＷＥＢブラウザの画面から行うことができる。したがって、電子機器１０の操作仕様が、同じメーカの装置で表示パネルの大小によって異なっていても、同じＷＥＢブラウザの画面から操作することができ、操作仕様を共通化することができる。
【００８５】
上述した実施の形態では、操作機器２０は、送信したリンクＵＲＬを記憶手段２４に記憶したが、操作手段２５から入力された操作情報を、記憶手段２４に記憶してもよい。すなわち、電子機器１０に対して行う操作を表す操作情報を、予め記憶手段２４に登録しておくことによって、電子機器１０に対する操作を、記憶手段２４に登録しておいた操作情報の中から選択することができる。
【００８６】
このように、操作情報を、操作手段２５によって入力され、記憶手段２４に記憶された操作情報の中から選択することができるので、登録しておいた操作情報を利用することができる。したがって、操作情報を入力する操作を簡単化することができる。たとえば、記憶手段２４に記憶された操作情報の一覧の中から選択する１アクションだけでよく、操作機器２０のメインメニューから操作を選択する画面まで順次操作を行う必要がない。そして、電子機器１０が別の装置であっても、記憶手段２４に記憶された操作情報の一覧の中から選択するだけでよい。さらに、携帯端末などの操作機器２０に記憶しているメールアドレスを、電子メールを送信する操作の操作情報に含めれば、画面送信先アドレスの入力を簡便化することができる。
【００８７】
さらに上述した実施の形態では、出力手段である識別コード表示手段１１として、液晶タッチパネル、そして入力手段である識別コード入力手段２１として、カメラなどの撮影手段を用いたが、出力手段は、たとえばプリンタなどの印刷装置であってもよく、入力手段は、数字キーおよび文字キーを含む操作パネルであってもよい。出力手段は、情報を出力することができるものであればよく、そして入力手段は、出力手段に出力された情報を入力することができるものであればよく、これらに限定されない。
【図面の簡単な説明】
【００８８】
【図１】本発明の実施の一形態である電子機器の操作システム１の構成の一例を模式的に示す。
【図２】本発明の実施の一形態である電子機器の操作システム１のブロック図である。
【図３】図２に示した操作機器２０の表示手段２６に表示される電子機器操作選択画面５０の一例を示す。
【図４】図２に示した電子機器の操作システム１で用いる識別コードおよびリンクＵＲＬの例を示す。
【図５】図２に示した電子機器１０が処理するフローチャートである。
【図６】図２に示した操作機器２０が処理するフローチャートである。
【図７】図６に示したフローチャートから呼び出されるＵＲＬ変換のフローチャートである。
【符号の説明】
【００８９】
１  電子機器の操作システム
２  ＱＲコード
１０  電子機器
１０ａ  ＭＦＰ
１１  識別コード表示手段
１１ａ  表示部
１２  ユーザ確認手段
１３  制御手段
１４  通信手段
２０  操作機器
２０ａ  携帯電話
２１  識別コード入力手段
２１ａ  カメラ
２２  通信手段
２３  制御手段
２４  記憶手段
２５  操作手段
２６  表示手段
３０  携帯電話基地局装置
４０  通信回線
【図１】
2007164448.tif 000003
【図２】
2007164448.tif 000004
【図３】
2007164448.tif 000005
【図４】
2007164448.tif 000006
【図５】
2007164448.tif 000007
【図６】
2007164448.tif 000008
【図７】
2007164448.tif 000009